(57)【特許請求の範囲】
【請求項１】
画像の表示面を有する液晶表示パネルと、
前記液晶表示パネルに取り付けられたフレキシブル配線基板と、
前記液晶表示パネルを前記表示面とは反対側で支持する内フレームと、
前記内フレームを収容する外フレームと、
を含み、
前記外フレームは、前記内フレームの前記液晶表示パネルとは反対側に配置され、前記内フレームと対向する底板部を含み、
前記フレキシブル配線基板は、屈曲して、前記内フレームと前記外フレームの間で前記底板部の前記内フレーム側の面上を延び、前記底板部の端部から突出するように前記内フレームと前記外フレームの間から外に引き出され、
前記底板部の前記端部の先端は、切り欠きが形成されることで、前記切り欠きの凹縁及び前記切り欠きに隣接して前記凹縁とは相対的に突出する凸縁が連続するように形成され、
前記フレキシブル配線基板の引き出し方向に延びる辺は、前記切り欠きと重なるように配置され、
前記底板部の前記凸縁は前記フレキシブル配線基板と重なり、
前記フレキシブル配線基板の前記辺と前記凹縁との交点と、前記凹縁と前記凸縁との変局点と、を直線で結んだときに、前記直線と前記フレキシブル配線基板の前記辺とのなす角度が、前記底板部の外側において、４５°以下であることを特徴とする液晶表示装置。
【請求項２】
請求項１に記載された液晶表示装置において、
前記変局点で、前記凹縁と前記凸縁は、前記底板部側で鈍角を以て接続することを特徴とする液晶表示装置。
【請求項３】
請求項１に記載された液晶表示装置において、
前記切り欠きは、丸い凹部であり、前記凹縁は曲線を描くことを特徴とする液晶表示装置。
【請求項４】
請求項１に記載された液晶表示装置において、
前記凹縁は、前記変局点から真っ直ぐに延びることを特徴とする液晶表示装置。
【請求項５】
請求項１に記載された液晶表示装置において、
前記切り欠きは、四角い凹部であり、前記変局点で前記凹縁と前記凸縁が直角に接続することを特徴とする液晶表示装置。
【請求項６】
請求項１から５のいずれか１項に記載された液晶表示装置において、
前記切り欠きは、第１の切り欠き及び第２の切り欠きを含み、
前記第１の切り欠き及び前記第２の切り欠きの間に前記凸縁が位置し、
前記フレキシブル配線基板の引き出し方向に延びる前記辺は、相互に対向する第１の辺及び第２の辺を含み、
前記第１の辺が前記第１の切り欠きと重なり、
前記第２の辺が前記第２の切り欠きと重なり、
前記第１の辺及び前記第２の辺のいずれについても、前記角度が４５°以下であることを特徴とする液晶表示装置。
【請求項７】
請求項１から６のいずれか１項に記載された液晶表示装置において、
前記フレキシブル配線基板は、前記外フレームと前記内フレームに挟まれていることを特徴とする液晶表示装置。
【請求項８】
請求項１から７のいずれか１項に記載された液晶表示装置において、
前記外フレームは、前記切り欠き及び前記凸縁を避けて、前記底板部から前記内フレームの周囲に立ち上がる側壁部を有することを特徴とする液晶表示装置。
【発明の詳細な説明】
【技術分野】
【０００１】
本発明は、液晶表示装置に関する。
【背景技術】
【０００２】
液晶表示パネルが内フレームに保持され、これを外フレームに収容した構造の液晶表示装置が広く使用されている。液晶表示パネルにはフレキシブル配線基板が取り付けられて、外部との電気的接続を図ることができるようになっている（特許文献１）。
【先行技術文献】
【特許文献】
【０００３】
【特許文献１】特開２００４−１１７６５９号公報
【発明の概要】
【発明が解決しようとする課題】
【０００４】
従来、引き出されたフレキシブル配線基板が、外フレームに当たって損傷を受けることが問題になっていた。特許文献１には、金属からなる外フレームとの接触を防ぐために、樹脂からなる内フレームを突出させることが開示されているが、構造上、外フレームとフレキシブル配線基板の接触を避けられないときの解決策は提示されていない。
【０００５】
本発明は、外フレームと接触してもフレキシブル配線基板の損傷が抑制される液晶表示装置を提供することを目的とする。
【課題を解決するための手段】
【０００６】
（１）本発明に係る液晶表示装置は、画像の表示面を有する液晶表示パネルと、前記液晶表示パネルに取り付けられたフレキシブル配線基板と、前記液晶表示パネルを前記表示面とは反対側で支持する内フレームと、前記内フレームを収容する外フレームと、を含み、前記外フレームは、前記液晶表示パネルとは反対側で前記内フレームと対向する底面部を含み、前記フレキシブル配線基板は、屈曲して、前記底面部の前記内フレーム側の面上を延び、前記底面部の端部から外に引き出され、前記底面部の前記端部の先端は、切り欠きが形成されることで、前記切り欠きの内縁及び前記切り欠きから突出する外縁が連続するように形成され、前記フレキシブル配線基板の引き出し方向に延びる辺は、前記切り欠きと重なるように配置され、前記底面部の前記突出する外縁は前記フレキシブル配線基板と重なり、前記フレキシブル配線基板の前記辺と前記内縁との交点と、前記内縁と前記外縁との変局点と、を結んだ直線と、前記フレキシブル配線基板の前記辺と、のなす角度が、前記底面部の外側において、４５°以下であることを特徴とする。本発明によれば、フレキシブル配線基板は、その辺が４５°以下の角度で外フレームのエッジと重なっている。したがって、フレキシブル配線基板は、外フレームと接触しても切断されにくくなっているので、その損傷が抑制されるようになっている。
【０００７】
（２）（１）に記載された液晶表示装置において、前記変局点で、前記内縁と前記外縁は、前記底面部側で鈍角を以て接続することを特徴としてもよい。
【０００８】
（３）（２）に記載された液晶表示装置において、前記切り欠きは、丸い凹部であり、前記内縁は曲線を描くことを特徴としてもよい。
【０００９】
（４）（２）に記載された液晶表示装置において、前記内縁は、前記変局点から真っ直ぐに延びることを特徴としてもよい。
【００１０】
（５）（１）に記載された液晶表示装置において、前記切り欠きは、四角い凹部であり、前記変局点で前記内縁と前記外縁が直角に接続することを特徴としてもよい。
【００１１】
（６）（１）から（５）のいずれか１項に記載された液晶表示装置において、前記切り欠きは、第１の切り欠き及び第２の切り欠きを含み、前記第１の切り欠き及び前記第２の切り欠きの間に前記外縁が位置し、前記フレキシブル配線基板の引き出し方向に延びる前記辺は、相互に対向する第１の辺及び第２の辺を含み、前記第１の辺が前記第１の切り欠きと重なり、前記第２の辺が前記第２の切り欠きと重なり、前記第１の辺及び前記第２の辺のいずれについても、前記角度が４５°以下であることを特徴としてもよい。
【００１２】
（７）（１）から（６）のいずれか１項に記載された液晶表示装置において、前記フレキシブル配線基板は、前記外フレームと前記内フレームに挟まれていることを特徴としてもよい。
【００１３】
（８）（１）から（７）のいずれか１項に記載された液晶表示装置において、前記外フレームは、前記切り欠き及び前記切り欠きから突出する前記外縁を避けて、前記底面部から前記内フレームの周囲に立ち上がる側壁部を有することを特徴としてもよい。
【図面の簡単な説明】
【００１４】
【図１】本発明の実施形態に係る液晶表示装置を示す平面図である。
【図２】図１に示す液晶表示装置の斜視図である。
【図３】図２に示す液晶表示装置のIII−III線断面図である。
【図４】図２に示す液晶表示装置のIV−IV線断面図である。
【図５】外フレームの底面部の一部を拡大した背面図である。
【図６】実施形態の効果を説明するための図である。
【図７】実施形態の変形例１を説明するための図である。
【図８】実施形態の変形例２を説明するための図である。
【発明を実施するための形態】
【００１５】
以下、本発明の実施の形態について、図面を参照して説明する。
【００１６】
図１は、本発明の実施形態に係る液晶表示装置を示す平面図である。図２は、図１に示す液晶表示装置の斜視図である。図３は、図２に示す液晶表示装置のIII−III線断面図である。図４は、図２に示す液晶表示装置のIV−IV線断面図である。
【００１７】
液晶表示装置は、液晶表示パネル１０を有する。液晶表示パネル１０は、画像の表示面１２を有する。液晶表示パネル１０は、ガラスなどからなる一対の基板１４，１６及び両者間に挟まれた図示しない液晶を有する。一対の基板１４，１６には、相互に反対の面に偏光板１８が貼り付けられている（図３及び図４参照）。一対の基板１４，１６は、一方の基板１６が他方の基板１４から突出するようにずれて配置されている（図１及び図２参照）。突出する一方の基板１６には、他方の基板１４からの突出領域に、液晶の駆動回路を内蔵する集積回路チップ２０が搭載されている（図１及び図２参照）。
【００１８】
液晶表示パネル１０は、樹脂のモールド成形によって形成された内フレーム２２によって支持されている。内フレーム２２は、液晶表示パネル１０の外周端部を支持している。内フレーム２２は、液晶表示パネル１０を表示面１２とは反対側で支持する。液晶表示パネル１０と内フレーム２２は両面粘着テープ２４で固定されている。
【００１９】
液晶表示装置は、図３及び図４に示すように、バックライト２６を有する。導光板２８は、バックライト２６の一部であり、さらに光学シート３０や反射シート３２が設けられる。バックライト２６は、図示しない光源となる発光部品（例えば発光ダイオード）を含む。発光部品からの光は導光板２８の端面に入射し、導光板２８の液晶表示パネル１０に対向する面が面発光する。
【００２０】
図１及び図２に示すように、液晶表示パネル１０にフレキシブル配線基板３４が取り付けられている。フレキシブル配線基板３４は、図示しない配線パターンを有しており、液晶表示パネル１０と電気的に接続されている。フレキシブル配線基板３４は、図２に示すように液晶表示パネル１０から引き出されて屈曲しており、図３及び図４に示すように内フレーム２２の下（液晶表示パネル１０とは反対側）を通るように配置されている。フレキシブル配線基板３４は、外部との電気的接続を図るためのインターフェース端子３６を有している。
【００２１】
内フレーム２２は外フレーム３８に収容されている。外フレーム３８は、液晶表示パネル１０とは反対側で内フレーム２２と対向する底面部４０を含む（図３及び図４参照）。また、外フレーム３８は、底面部４０から内フレーム２２の周囲に立ち上がる側壁部４２を有する。側壁部４２は、底面部４０の一部を避けて形成されている（図２参照）。外フレーム３８の側壁部４２が存在しない位置からフレキシブル配線基板３４が引き出されており、その先端にインターフェース端子３６が位置している。
【００２２】
図５は、外フレーム３８の底面部４０の一部を拡大した背面図である。外フレーム３８の底面部４０の端部（側壁部４２の存在しない部分）の先端には、切り欠き４４が形成されている。図５に示す例では、切り欠き４４は、丸い凹部であり、切り欠き４４の内縁４６は曲線を描く。切り欠き４４は、第１の切り欠き４４Ａ及び第２の切り欠き４４Ｂを含む。
【００２３】
切り欠き４４の内縁４６及び切り欠き４４から突出する外縁４８が連続している。第１の切り欠き４４Ａ及び第２の切り欠き４４Ｂの間に外縁４８が位置している。側壁部４２は、切り欠き４４及び切り欠き４４から突出する外縁４８を避けて形成されている（図１参照）。
【００２４】
フレキシブル配線基板３４は、図４に示すように、底面部４０の内フレーム２２側の面上を延びる。フレキシブル配線基板３４は、外フレーム３８と内フレーム２２に挟まれている。フレキシブル配線基板３４は、底面部４０の端部から外に引き出されている。
【００２５】
図５に示すように、フレキシブル配線基板３４の引き出し方向に延びる辺５０は、切り欠き４４と重なるように配置されている。フレキシブル配線基板３４の引き出し方向に延びる辺５０は、相互に対向する第１の辺５０Ａ及び第２の辺５０Ｂを含む。第１の辺５０Ａが第１の切り欠き４４Ａと重なっている。第２の辺５０Ｂが第２の切り欠き４４Ｂと重なっている。底面部４０の突出する外縁４８（第１の切り欠き４４Ａ及び第２の切り欠き４４Ｂに連続する縁）はフレキシブル配線基板３４と重なっている。
【００２６】
図５には、フレキシブル配線基板３４の辺５０と内縁４６との交点ＰＡと、内縁４６と外縁４８との変局点ＰＢと、を結んだ直線Ｌが示されている。直線Ｌとフレキシブル配線基板３４の辺５０とのなす角度αが、底面部４０の外側（あるいは辺５０の側）において、４５°以下である。
【００２７】
図６に示すように、フレキシブル配線基板３４の辺５０と内縁４６との交点ＰＡは、フレキシブル配線基板３４が斜めに引っ張られて捻り応力が生じたときにフレキシブル配線基板３４にせん断応力が生じる点である。また、内縁４６と外縁４８との変局点ＰＢは、フレキシブル配線基板３４が斜めに引っ張られて捻り応力が生じたときにフレキシブル配線基板３４に接触する点である。すなわち、フレキシブル配線基板３４には、直線Ｌに沿ったせん断力が働く。せん断力は、浅い角度（４５°以下）で働く。したがって、フレキシブル配線基板３４は切断されにくくなっており、その損傷が抑制されるようになっている。
【００２８】
［変形例１］
図７は、本発明の実施形態の変形例１を説明する図である。この例では、切り欠き１４４の内縁１４６は、角（例えば直角）を以て形成されている。言い換えると、切り欠き１４４は、四角い凹部である。また、内縁１４６は、変局点ＰＢ１から真っ直ぐに延びる。詳しくは、変局点ＰＢ１で内縁１４６と外縁１４８が直角に接続している。あるいは、内縁１４６の変局点ＰＢ１から延びる方向は、フレキシブル配線基板３４の辺５０と平行である。この例でも、直線Ｌ１とフレキシブル配線基板３４の辺５０とのなす角度α１が４５°以下であれば、上述した実施形態と同じ効果を達成することができる。
【００２９】
［変形例２］
図８は、本発明の実施形態の変形例２を説明する図である。この例では、内縁２４６と外縁２４８は、両者の変局点ＰＢ２で、底面部２４０側で鈍角βを以て接続している。第１の切り欠き２４４Ａ及び第２の切り欠き２４４Ｂの間で突出する部分の先端が、フレキシブル配線基板３４と重なる外縁２４８である。この例でも、直線Ｌ２とフレキシブル配線基板３４の辺５０とのなす角度α２が４５°以下であれば、上述した実施形態と同じ効果を達成することができる。
【００３０】
本発明は、上述した実施の形態に限定されるものではなく種々の変形が可能である。例えば、実施の形態で説明した構成は、実質的に同一の構成、同一の作用効果を奏する構成又は同一の目的を達成することができる構成で置き換えることができる。
【符号の説明】
【００３１】
Ｌ  直線、Ｌ１  直線、Ｌ２  直線、ＰＡ  交点、ＰＢ  変局点、ＰＢ１  変局点、ＰＢ２  変局点、α  角度、α１  角度、α２  角度、β  鈍角、１０  液晶表示パネル、１２  表示面、１４  基板、１６  基板、１８  偏光板、２０  集積回路チップ、２２  内フレーム、２４  両面粘着テープ、２６  バックライト、２８  導光板、３０  光学シート、３２  反射シート、３４  フレキシブル配線基板、３６  インターフェース端子、３８  外フレーム、４０  底面部、４２  側壁部、４４  切り欠き、４４Ａ  第１の切り欠き、４４Ｂ  第２の切り欠き、４６  内縁、４８  外縁、５０  辺、５０Ａ  第１の辺、５０Ｂ  第２の辺、１４４  切り欠き、１４６  内縁、１４８  外縁、２４０  底面部、２４４Ａ  第１の切り欠き、２４４Ｂ  第２の切り欠き、２４６  内縁、２４８  外縁。
【図１】
0005279043.tif 000002
【図２】
0005279043.tif 000003
【図３】
0005279043.tif 000004
【図４】
0005279043.tif 000005
【図５】
0005279043.tif 000006
【図６】
0005279043.tif 000007
【図７】
0005279043.tif 000008
【図８】
0005279043.tif 000009